(57)【要約】      （修正有）【課題】監視領域の調整が簡便に行え、且つ、不正な監視領域の変更を防止する。【解決手段】回動体４と対向する位置に設置され、回動体４と咬合して回動体４を係止して回動体４を装置本体２に対して固定する固定部材５と、本体ケース８に嵌合して装着され、回動体４と固定部材５とを係止させて固定し、領域監視部１１の位置調整時に使用される特殊キー３１が挿入可能な挿入孔３２を有するロック部材２８（３３）と、回動体４と固定部材５との間に介装され、特殊キー３１が挿入孔３２に挿入されたときに回動体４と固定部材５との係止を解除する方向に固定部材５及びロック部材２８（３３）を付勢する付勢手段２４（３３）とを備えた。【選択図】図７
2008224529.tif 000002
【特許請求の範囲】
【請求項１】
装置本体と、前記装置本体に嵌着された本体ケースと、前記本体ケースの外側から監視領域の調整が可能な領域監視部を収容し、前記装置本体に対して所定角度回動可能に軸支された回動体とを備えた監視装置において、
前記回動体と対向する位置に設置され、前記回動体と咬合して前記回動体を係止して前記回動体を前記装置本体に対して固定する固定部材と、
前記本体ケースに嵌合して装着され、前記回動体と前記固定部材とを係止させて固定し、前記領域監視部の位置調整時に使用される特殊キーが挿入可能な挿入孔を有するロック部材と、
前記回動体と前記固定部材との間に介装され、前記特殊キーが前記挿入孔に挿入されたときに前記回動体と前記固定部材との係止を解除する方向に前記固定部材及び前記ロック部材を付勢する付勢手段とを備えたことを特徴とする監視装置。
【請求項２】
前記回動体と前記固定部材との係止の解除を検出する検出手段を備えたことを特徴とする請求項１記載の監視装置。
【発明の詳細な説明】
【技術分野】
【０００１】
本発明は、監視対象となる建物内の各所に配設され、監視領域内への人体の侵入を含む監視領域の監視を行う監視装置に関し、特に、調整作業が簡便に行えるとともに不正な監視領域の変更を防止する監視装置に関する。
【背景技術】
【０００２】
従来、監視対象となる建物の監視領域内への人体の侵入を含む監視領域の監視を行う監視装置としては、例えば下記特許文献１に開示されるような焦電素子を用いた人体検知器が知られている。
【０００３】
この特許文献１に開示される人体検知器１０１は、図１０（ａ）〜（ｄ）に示すように、窓の上部等の壁等に取り付けられ、侵入者を検知し警報を発するものであって、人体を検知するための焦電素子１０２と、焦電素子１０２を作動させるための電池とを内蔵した本体１０３と、本体１０３を壁等に固定するためのベース１０４とを備えて概略構成される。また、本体１０３は焦電素子１０２を搭載する回動体１０５を内蔵しており、回動体１０５を任意の角度で固定するための係止体１０６を備えている。さらに、回動体１０５は、本体１０３の外部に突出する不図示の係合部を有し、この係合部に検知エリア調整ツマミ１０７が係合している。回動体１０５は、検知エリア調整ツマミ１０７を回動させたときに、係止体１０６の弾性変形する係止部１０６ａの表面に当接しながら摺動する半円状の歯車１０６ａが突設している。この人体検知器１０１では、検知エリア調整ツマミ１０７の回動に連動して回動体１０５が回動し、回動体１０５に内蔵された焦電素子１０２の検知範囲が段階的に調整できるようになっている。
【特許文献１】特開２００１−１２４８６６号公報
【発明の開示】
【発明が解決しようとする課題】
【０００４】
しかしながら、従来の監視装置では、監視領域の調整を行う場合にオペレータが一旦天井に取り付けられた装置本体を取り外し、監視部分の角度や位置を調整した後、再度取り付けるという作業を行っていたため、監視領域の調整が煩雑であった。また、上述した特許文献１に開示される人体検知器１０１では、監視範囲を調節する際に、装置本体を天井から取り外すことなく検知エリア調整ツマミ１０７を回動させることで容易に監視範囲を変えることが可能であるが、オペレータ以外であっても不正に監視領域が変更できてしまうためセキュリティ上問題があった。
【０００５】
そこで、本発明は上記問題点に鑑みてなされたものであって、監視領域の調整作業が容易に行え、且つ、不正な監視領域の変更を防止することのできる監視装置を提供することを目的としている。
【課題を解決するための手段】
【０００６】
上記した目的を達成するために、請求項１記載の監視装置は、装置本体と、前記装置本体に嵌着された本体ケースと、前記本体ケースの外側から監視領域の調整が可能な領域監視部を収容し、前記装置本体に対して所定角度回動可能に軸支された回動体とを備えた監視装置において、
前記回動体と対向する位置に設置され、前記回動体と咬合して前記回動体を係止して前記回動体を前記装置本体に対して固定する固定部材と、
前記本体ケースに嵌合して装着され、前記回動体と前記固定部材とを係止させて固定し、前記領域監視部の位置調整時に使用される特殊キーが挿入可能な挿入孔を有するロック部材と、
前記回動体と前記固定部材との間に介装され、前記特殊キーが前記挿入孔に挿入されたときに前記回動体と前記固定部材との係止を解除する方向に前記固定部材及び前記ロック部材を付勢する付勢手段とを備えたことを特徴とする。
【０００７】
請求項２記載の監視装置は、請求項１記載の監視装置において、前記回動体と前記固定部材との係止の解除を検出する検出手段を備えたことを特徴とする。
【発明の効果】
【０００８】
本発明の監視装置によれば、設置位置から装置を取り外すことなく監視領域の調整が行えるとともに、位置調整を行う場合は特殊キーによってロック機構を解除しない限り監視領域の位置調整が行えないため、監視領域の位置調整をする作業が簡便であり、且つ、オペレータ以外による不正な監視領域の変更を防止することができる。
【０００９】
また、検出スイッチによって位置調整状態であることを検出しているため、検出スイッチの作動状況によって不正な位置調整が発生した際に速やかに対処することができる。
【発明を実施するための最良の形態】
【００１０】
以下、本発明を実施するための最良の形態について、添付した図面を参照しながら詳細に説明する。図１は本発明に係る監視装置の概略を説明するための概略斜視図であり、図２は図１のＡ−Ａ部分断面図であり、図３は図１のＢ−Ｂ部分断面図であり、図４は監視領域の一例を説明するための概念図であり、図５は本発明に係る監視装置における回動体の端面と本体ケースの係合凸部との係わりを説明するための説明図であり、図６は本発明に係る監視装置におけるロック機構解除前を示す概略説明図であり、図７は本発明に係る監視装置における特殊キー挿入時を示す概略説明図であり、図８は本発明に係る監視装置におけるロック機構解除後を示す概略説明図であり、図９（ａ）は図６の概略斜視図であり、図９（ｂ）は図７の概略斜視図であり、図９（ｃ）は図８の概略斜視図である。
【００１１】
本発明に係る監視装置１は、監視対象となる建物の天井や壁等に適宜設置され、予め調整により決定された監視領域を監視するものであり、監視領域内への人体の侵入の有無（背景の変化の有無も含む）を検知し、検知結果から必要に応じて警報を出力している。
【００１２】
本例の監視装置１は、図１に示すように、監視領域に合わせて例えば建物の天井や壁等に平板状の取付板（図２、３の破線部分）が取り付けられ、この取付板に対して嵌合構造等により着脱可能に装置本体２が装着されている。図２、図３に示すように、装置本体２には、例えばＣＰＵやＲＯＭ、ＲＡＭ等の電子回路部品で構成される回路基板３が実装されている。
また、装置本体２には、監視領域を調整操作するべく装置本体２に対して回動可能な回動体４と、回動体４を固定する固定部材５とを軸支するための支持部材６、７がそれぞれ回動体４に合せた位置に形成されている。さらに、装置本体２には、回動体４を被覆するように回動体４の収容部分が断面蒲鉾形状を有する本体ケース８が嵌合されている。
【００１３】
この本体ケース８の表面中央には、回動体４の回動角を規制するべく欠切されたガイド穴９が形成されており、このガイド穴９に沿って回動体４を所定角度回動可能としている。また、本体ケース８には、後述するロック部材２８（３３）が嵌合する嵌合穴１０が所定箇所に形成されている。
【００１４】
回動体４は、監視領域を調整する際に予め決定される監視領域Ｅ（図４の例では、床面を平面視したときの６つの個別監視領域Ｅ１〜Ｅ６からなる）を検知面から監視する領域監視部１１を収容し、その監視結果を不図示の信号処理部に出力している。具体的に、領域監視部１１は、例えば凸レンズと熱の絶対値を検出する複数のサーモパイルとの組み合わせ、熱の変化を捉える焦電素子と複数の領域に分割形成された凹面鏡との組み合わせ、監視領域Ｅを撮影するＣＣＤ等の撮像装置で構成することができる。
【００１５】
図２、３の例では、凸レンズと複数のサーモパイルとの組み合わせで構成される領域監視部１１が回動体４に収容されている。さらに説明すると、円筒形状の回動体４には、回動体４の長手方向の中心軸と直交して筒状の検知用窓部が一体に突設されている。検知用窓部は、回動体４の回動角を規制するべく本体ケース８の表面中央に欠切されたガイド穴９から外部に露出しており、ガイド穴９に沿って所定角度回動可能とされている。
【００１６】
また、外部に露出する検知用窓部の端面は、例えばシリコンレンズからなる凸レンズ１３（領域監視部１１の構成要素）がレンズホルダに保持された状態で固設され、監視領域Ｅの監視を行う検知面を形成している。さらに、レンズホルダにおける回動体４内側の面には、凸レンズと対向して複数のサーモパイル（領域監視部１１の構成要素）を実装した回路基板１２が取り付けられている。また、回路基板３には、後述する作動片２５の移動を検出してロック機構３３が解除されているか否かを検出するための検出手段である例えばメカニカルスイッチや光学スイッチなどの検出スイッチ１３が作動片２５の移動終了位置に合せて実装されている。
【００１７】
そして、図２、３に示すように、凸レンズと複数のサーモパイル１５との組み合わせで領域監視部１１を構成した場合には、監視領域Ｅからの赤外線エネルギーに応じた電気信号が監視結果として不図示の信号処理部などに出力される。
【００１８】
なお、焦電素子と複数の領域に分割形成された凹面鏡との組み合わせで領域監視部１１を構成した場合には、凸レンズと複数のサーモパイルとの組み合わせと同様に、監視領域Ｅからの赤外線エネルギーに応じた電気信号が監視結果として出力される。また、ＣＣＤ等の撮像装置で領域監視部１１を構成した場合には、監視領域Ｅを撮影した画像信号が監視結果として出力される。
【００１９】
図２に示すように、回動体４の一方の端面の中心部分には、支持部材６と回動可能に軸支するための回動支軸１４が形成されている。回動支軸１４の近傍には、位置調整状態で領域監視部１１の位置調整をする際に、回動体４の回動限界範囲を規制する一対の規制突起１５が突設されており、位置調節した際に規制突起１５の一方が支持部材６と当接することで、回動体４の回動可能範囲における両限界範囲を規制している。
【００２０】
また、回動体４のもう一方の端面の中心部分には、固定部材５と係合するための係合軸１６が形成されているとともに、この端面側の外側部分には固定部材５との係止により回動体４の調節位置を固定するための第１連続係止凹凸部１７が所定ピッチ（本例では２度ピッチ）で環状に形成されている。
【００２１】
さらに、回動体４の係合軸１６形成側の端縁部には、図５に示すように、回動体４の領域監視部１１の位置調整をする際に、連続的にクリック感を発生させながら位置調節を行うための連続係合凹凸部１８（２０）が、第１連続係止凹凸部１７と同ピッチ（本例では２度ピッチ）で形成されている。この連続係合凹凸部１８（２０）は、第１連続係止凹凸部１７の凹凸ピッチと一致するように形成されているため、回動体４の位置を調整した際に、回動体４が位置ズレすることなく正確に固定できる。
【００２２】
そして、連続係合凹凸部１８（２０）は、本体ケース８の裏面部分における連続係合凹凸部１８（２０）と係合する位置に形成された係合凸部１９（２０）と係合することで、クリック感を発生させるクリック発生機構２０を構成し、ロック部材２８（３３）が解除された状態（位置調整状態）で領域監視部１１の位置調整すると、クリック感を生じながら回動体４が回動する。
【００２３】
固定部材５は、図２に示すように、所定の厚みを有する回動体４と同径の円盤形状であり、回動体４と対向した位置に設置されている。図示のように、固定部材５の一方の端面の中心部分には、回動体４の係合軸１６を挿通するための係合穴２１が形成され、もう一方の端面の中心部分には、円柱形状で内部中空の係合支軸２２が形成され、係合支軸２２の開口端と係合穴２１とが連通している。
また、固定部材５の係合穴２１形成側端面の外側部分には、回動体４の位置を係止して固定するための第２連続係止凹凸部２３が、第１連続係止凹凸部１７と同様のピッチ（本例では２度ピッチ）で環状に形成されている。
【００２４】
さらに、固定部材５の係合支軸２２には、後述するロック機構３３が解除された際に、ロック部材２８（３３）を突出させるための付勢手段であるバネ２４（３３）が収容されている。このバネ２４（３３）は、回動体４の位置を調節する際にロック機構３３が解除されると、バネ２４（３３）の付勢力によって回動体４から固定部材５を装置１の外側方向（図２の矢印方向）へ支持部材７と当接する位置まで水平に摺動し、さらに摺動した固定部材５と当接しているロック部材２８（３３）を本体ケース８から外側方向へ突出させる。これにより、監視装置１は回動体４が回動調整可能な状態、すなわち位置調整状態となる。
【００２５】
また、固定部材５の所定箇所には、回路基板３に実装された検出スイッチ１３を作動させるための作動片２５が形成されている。すなわち、検出スイッチ１３は、ロック機構３３の解除により固定部材５が摺動して摺動が終了する位置で、固定部材５に形成された作動片２５を検出することにより作動し、回動体４と固定部材５との係止が解除されて位置調整状態となったことを検出している。
なお、検出スイッチ１３は、作動片２５が接触することで位置調整状態であることを検出し、この検出信号を例えば管理会社などに外部出力している。
【００２６】
さらに、図６に示すように、本体ケース８には、ロック部材２８（３３）を嵌合するための弾性を有する一対の第１係止爪２６と、ロック部材２８（３３）の脱落防止用の第１係止片２７が、それぞれ嵌合穴１０近傍の所定箇所に形成されている。
【００２７】
ロック部材２８（３３）は、図７に示すように本体ケース８の嵌合穴１０に嵌合された状態で装着されており、装着時に本体ケース８と係止するための第２係止片２９と、ロック部材２８（３３）の脱落防止用の一対の第２係止爪３０とが所定箇所に形成されている。また、ロック部材２８（３３）は、領域監視部１１を位置調整する際に使用する特殊キー３１を挿入するための挿入孔３２が形成されている。そして、ロック部材２８（３３）は、固定部材５に収容されたバネ２４（３３）とでロック機構３３を構成し、ロック部材２８（３３）が本体ケース８に装着されることで回動体４が固定部材５に対して固定され、領域監視状態での不用意な回動体４の回動を防止している。
【００２８】
ロック部材２８（３３）は、領域監視状態では回動体４が回動しないように、回動体４の第１連続係止凹凸部１７の凹凸と固定部材５の第２連続係止凹凸部２３の凹凸とが互いに咬合した状態で回動体４を係止するため、本体ケース８の嵌合穴１０に嵌合した状態で本体ケース８の外壁面と面一に装着されている。
すなわち、突出したロック部材２８（３３）を挿入する場合、バネ２４（３３）を収縮させながらロック部材２８（３３）を挿入すると、ロック部材２８（３３）の第２係止片２９における鉤爪部３４の傾斜面と本体ケース８の第１係止爪２６における鉤爪部３５の傾斜面とが当接する。そして、ロック部材２８（３３）が挿入されるに連れて徐々に第１係止爪２６が外側に撓み、ロック部材２８（３３）が本体ケース８の外壁面と面一になるまで挿入されると、第２係止片２９の鉤爪部３４と第１係止爪２６の鉤爪部３５とが当接して係止されることで、ロック部材２８（３３）が本体ケース８に装着される。
【００２９】
また、位置調整状態にする場合は、図８に示すように特殊キー３１によってロック機構３３を解除すると、ロック機構３３におけるバネ２４（３３）の付勢力により固定部材５が所定方向に摺動してロック部材２８（３３）が突出する。
すなわち、特殊キー３１が挿入孔３２に挿入されると、特殊キー３１のキー幅によって第１係止爪２６が外側に撓むように押し広げられ、これと同時に第２係止片２９の鉤爪部３４と第１係止爪２６の鉤爪部３５との係止が外れる。そして、図９に示すようにロック部材２８（３３）と本体ケース８との係止が外れると、ロック機構３３のバネ２４（３３）の付勢力によって固定部材５が摺動し、その摺動によってロック部材２８（３３）が連動して突出する。
【００３０】
このとき、本体ケース８の第１係止片２７とロック部材２８（３３）の第２係止爪３０の鉤爪部３６とが当接して係止されることで、突出時にロック部材２８（３３）が本体ケース８から脱落するのを防止している。また、位置調整状態では、固定部材５がロック部材２８（３３）を突出するのと同時に、固定部材５の摺動により検出スイッチ１３が固定部材５に形成された作動片２５を検出するので、ロック機構３３の解除、すなわち位置調整状態であることが検出される。
【００３１】
そして、上記構成の監視装置１では、図９（ａ）に示すように領域監視状態である監視装置１の領域監視部１１の調整を行う場合、まず、天井に監視装置１を取り付けた状態で、図９（ｂ）に示すように特殊キー３１をロック部材２８（３３）の挿入孔３２に挿入して本体ケース８の第１係止爪２６を撓ませる。これにより、固定部材５の第２係合片２９が第１係止爪２６から外れ、ロック機構３３であるバネ２４（３３）の付勢力により固定部材５が摺動することで、図９（ｃ）に示すのようにロック部材２８（３３）が連動して突出することで、回動体４を回動可能にする。
【００３２】
このとき、固定部材５がロック部材２８（３３）を突出するのと同時に、固定部材５の摺動により検出スイッチ１３が固定部材５に形成された作動片２５を検出するので、ロック機構３３が解除されたこと、すなわち位置調整状態であることが検出される。
【００３３】
そして、回動可能となった回動体４を所定方向に回動させて領域監視部１１の位置調整をし、再度領域監視状態に戻すときは、突出したロック部材２８（３３）を挿入する。これにより、ロック部材２８（３３）の第２係止片２９と本体ケース８の第１係止爪２６とが係止されてロック部材２８（３３）が本体ケース８に装着されるとともに、ロック部材２８（３３）の挿入に伴って固定部材５がバネ２４（３３）を収縮させながら回動体４に向かって摺動し回動体４の第１連続係止凹凸部１７の凹凸と固定部材５の第２連続係止凹凸部２３の凹凸とが互いに咬合した状態で回動体４が係止される。このとき、固定部材５に形成された作動片２５が検出スイッチ１３からすることで、検出スイッチ１３がロック機構３３の解除、すなわち監視装置１が位置調整状態であることを検出している。
【００３４】
このように、上述した監視装置１は、装置本体２に回動可能に軸支された回動体４の端面に形成された第１連続係止凹凸部１７の凹凸と、回動体４を固定する固定部材５の端面に形成された第２連続係止凹凸部２３の凹凸とが互いに咬合することで回動体４が係止されており、領域監視部１１が収容された回動体４の位置調整を行う場合、設置位置に装置を取り付けた状態で固定部材５の挿入孔３２に特殊キー３１を挿入してロック機構３３を解除することで回動体４を固定していた固定部材５をバネ２４（３３）の付勢力を利用してロック機構３３を解除した状態、すなわち固定部材５が回動体４から離れた状態で回動体４の位置調整を行う。そして、回動体４の位置調整が終了すると、本体ケース８から突出したロック部材２８（３３）を挿入して固定部材５の第２連続係止凹凸部２３の凹凸とを回動体４第１連続係止凹凸部１７の凹凸とを再び咬合させることで調整位置を固定する。
従って、設置位置から装置を取り外すことなく監視領域Ｅの調整が行えるとともに、位置調整を行う場合は特殊キー３１によってロック機構３３を解除しない限り監視領域Ｅの位置調整が行えないため、監視領域Ｅの位置調整をする作業が簡便であり、且つ、オペレータ以外による不正な監視領域Ｅの変更を防止する効果を奏する。また、ロック部材２８（３３）が本体ケース８に対して脱落しないように装着されているため、突出時にロック部材２８（３３）が紛失することがない。
【００３５】
また、回動体４の係合軸１６形成側の端縁部に形成された連続係合凹凸部１８（２０）と、本体ケース８の所定箇所に形成された係合凸部１９（２０）とが係合することでクリック感を発生させるためのクリック発生機構２０を構成し、ロック部材２８（３３）が解除された状態（位置調整状態）で領域監視部１１の位置調整すると連続的にクリック感を発生しながら回動体４が回動する。
これにより、回動体４の領域監視部１１の位置調整をする際に調整位置の微調整が可能となるとともに、第１連続係止凹凸部１７の凹凸ピッチと一致するように形成されているので、回動体４の位置を調整した際に、回動体４が位置ズレすることなく正確な位置で固定することができる。
【００３６】
さらに、ロック機構３３を解除した際に、バネ２４（３３）の付勢力によってロック部材２８（３３）が本体ケース８から突出するため、オペレータが位置調整状態であることを視認により容易に確認することができる。また、ロック部材２８（３３）の突出に合せて、検出スイッチ１３が固定部材５の作動片２５を検出することで位置調整状態であることを検出し、この検出した検出信号を管理会社などに外部出力しているため、検出スイッチ１３の作動状況を管理することで不正な位置調整が発生した際に速やかに対処することができる。
【００３７】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００３８】
【図１】本発明に係る監視装置の概略を説明するための概略斜視図である。
【図２】図１のＡ−Ａ部分断面図である。
【図３】図１のＢ−Ｂ部分断面図である。
【図４】監視領域の一例を説明するための概念図である。
【図５】本発明に係る監視装置における回動体の端面と本体ケースの係合凸部との係わりを説明するための説明図である。
【図６】本発明に係る監視装置におけるロック機構解除前を示す概略説明図である。
【図７】本発明に係る監視装置における特殊キー挿入時を示す概略説明図である。
【図８】本発明に係る監視装置におけるロック機構解除後を示す概略説明図である。
【図９】（ａ）  図７の概略斜視図である。  （ｂ）  図８の概略斜視図である。  （ｃ）  図９の概略斜視図である。
【図１０】（ａ）〜（ｄ）  従来の人体検知器の調整構成を説明するための側面図及び断面図である。
【符号の説明】
【００３９】
１  監視装置
２  装置本体
４  回動体
５  固定部材
１１  領域監視部
１３  検出スイッチ（検出手段）
２４（３３）  バネ（付勢手段）
２８（３３）  ロック部材  
３１  特殊キー
３２  挿通孔
【図１】
2008224529.tif 000003
【図２】
2008224529.tif 000004
【図３】
2008224529.tif 000005
【図４】
2008224529.tif 000006
【図５】
2008224529.tif 000007
【図６】
2008224529.tif 000008
【図７】
2008224529.tif 000009
【図８】
2008224529.tif 000010
【図９】
2008224529.tif 000011
【図１０】
2008224529.tif 000012